(57)【要約】【課題】従来の再封可能な包装袋では、製袋時に、突出片を設ける位置を設計しなければならず、製袋の自由度が制限される。また、折り返し部分を折り返して再封した際の袋の容量が小さくなる。【解決手段】主袋体２と、主袋体２と一体に繋がっており、主袋体２から二股に分かれた少なくとも一対の副袋体３，４とを有する包装袋１において、少なくとも一つの副袋体の先端寄りに、破断して開封するための開口６が設けられており、破断して開口６を形成した副袋体の根元部８を主袋体側へ折り返すことにより、開口６を簡易的に再封できる包装袋１。【選択図】図１
2020066455.tif 000002
【特許請求の範囲】
【請求項１】
主袋体と、前記主袋体と一体に繋がっており、前記主袋体から二股に分かれた少なくとも一対の副袋体とを有する包装袋において、
前記副袋体のうちの少なくとも一つの副袋体の先端寄りに、破断して開封するための開口が設けられており、
前記破断して開口を形成した副袋体の根元部を、前記主袋体側へ折り返すことにより、前記開口を簡易的に再封できることを特徴とする、包装袋。
【請求項２】
前記副袋体は、前記主袋体の一端側に一対備えられ、かつ、前記主袋体の前記一端側と反対側の他端側にも一対備えられて、４つの副袋体を有していることを特徴とする、請求項１に記載の包装袋。
【請求項３】
前記副袋体には、そのすべてに、先端寄りに破断して開封するための開口が設けられており、
いずれか一つの副袋体の開口を破断して開封し、かつ、開口を簡易的に再封できる構成であることを特徴とする、請求項１または２に記載の包装袋。
【請求項４】
シートが折り畳まれ、左右両側縁部が接合されて袋体にされた包装袋であって、
一方主面板と、他方主面板と、一端辺同士が接続して谷折りされた一方マチ板及び他方マチ板とを含み、
前記一方主面板の一端辺と前記他方主面板の一端辺とは、山折りして折り畳まれて接続しており、
前記一方主面板の他端辺と前記一方マチ板の他端辺とは、山折りに折り畳まれて接続しており、
前記他方主面板の他端辺と前記他方マチ板の他端辺とは、山折りに折り畳まれて接続しており、
前記一方主面板及び前記他方主面板の相対向する左右両側縁部同士、前記一方主面板及び前記一方マチ板の相対向する左右両側縁部同士、並びに前記他方主面板及び前記他方マチ板の相対向する左右両側縁部同士は、それぞれ接合され、収容空間の繋がった主袋体、第１の副袋体及び第２の副袋体が形成されており、
前記第１の副袋体及び第２の副袋体の少なくとも一方の先端寄りに、破断して前記収容空間を開封するための開口が設けられていることを特徴とする、包装袋。
【請求項５】
シートが折り畳まれ、左右両側縁部が接合されて袋体にされた包装袋であって、
一方主面板と、他方主面板と、一端辺同士が接続して谷折りされた第１マチ板及び第２マチ板と、一端辺同士が接続して谷折りされた第３マチ板及び第４マチ板とを含み、
前記一方主面板の一端辺と前記第１マチ板の他端辺とは、山折りに折り畳まれて接続しており、
前記他方主面板の一端辺と前記第２マチ板の他端辺とは、山折りに折り畳まれて接続しており、
前記一方主面板の他端辺と前記第３マチ板の他端辺とは、山折りに折り畳まれて接続しており、
前記他方主面板の他端辺と前記第４マチ板の他端辺とは、山折りに折り畳まれて接続しており、
前記一方主面板及び前記他方主面板の相対向する左右両側縁部同士、前記一方主面板及び前記第１マチ板の相対向する左右両側縁部同士、前記他方主面板及び前記第２マチ板の相対向する左右両側縁部同士、前記一方主面板及び前記第３マチ板の相対向する左右両側縁部同士、並びに前記他方主面板及び前記第４マチ板の相対向する左右両側縁部同士は、それぞれ接合され、収容空間の繋がった主袋体、第１の副袋体、第２の副袋体、第３の副袋体及び第４の副袋体が形成されており、
前記第１ないし第４の副袋体の少なくとも１つの先端寄りに、破断して前記収容空間を開封するための開口が設けられていることを特徴とする、包装袋。
【請求項６】
破断により前記開口を形成後、前記開口を形成した副袋体の根元部を前記主袋体側へ折り返すことにより、前記開口を簡易的に再封することができることを特徴とする、請求項４または５に記載の包装袋。
【請求項７】
前記シートは１枚のフィルムシートを含み、前記他方主面板には、前記１枚のフィルムシートの一端縁及び他端縁が合掌貼りされて左右方向へ延びる貼り合わせ部が存在することを特徴とする、請求項４〜６のいずれか一項に記載の包装袋。
【請求項８】
前記開口は、前記他方主面板側の副袋体に設けられており、前記貼り合わせ部は、前記他方主面板側の副袋体の根元が隣接する前記他方主面板に形成されていることを特徴とする、請求項７に記載の包装袋。
【請求項９】
前記シートは１枚のフィルムシートを含み、
前記１枚のフィルムシートの一端縁及び他端縁が合掌貼りされて左右方向へ延びる貼り合わせ部が形成されて環状にされており、
前記貼り合わせ部が、前記副袋体のいずれかの先端縁部に存在していることを特徴とする、請求項４〜６のいずれか一項に記載の包装袋。
【請求項１０】
前記開口は、前記貼り合わせ部が先端縁部に存在している副袋体に設けられていることを特徴とする、請求項９に記載の包装袋。
【請求項１１】
シートが折り畳まれ、左右両側部が接合されて袋体にされた包装袋であって、
一方主面板と、他方主面板と、一端辺同士が接続して谷折りされた一方マチ板及び他方マチ板とを含み、
前記一方主面板の一端辺と前記他方主面板の一端辺とは、山折りに折り畳まれて接続しており、
前記他方主面板の他端辺と前記他方マチ板の他端辺とは、山折りに折り畳まれて接続しており、
前記一方主面板の他端辺及び前記一方マチ板の他端辺は、前記他方主面板の他端辺及び前記他方マチ板の他端辺より先端方向へ伸び出して貼り合わされており、
前記一方主面板及び前記他方主面板の相対向する左右両側縁部同士、前記一方主面板及び前記一方マチ板の相対向する左右両側縁部同士、並びに前記他方主面板及び前記他方マチ板の相対向する左右両側縁部同士は、それぞれ接合され、収容空間の繋がった主袋体、第１の副袋体及び第２の副袋体が形成されており、
前記第１の副袋体の先端寄りに、破断して前記収容空間を開封するための開口が設けられていることを特徴とする、包装袋。
【請求項１２】
破断により前記開口を形成後、前記開口を形成した前記第１の副袋体の根元部を前記主袋体側へ折り返すことにより、前記開口を簡易的に再封することができることを特徴とする、請求項１１に記載の包装袋。
【発明の詳細な説明】
【技術分野】
【０００１】
本発明は、菓子などの商品を収容するための包装袋に関し、より詳しくは、袋を破断して開封した後、簡易に再封をすることのできる包装袋に関する。
【背景技術】
【０００２】
コンビニエンスストアなどの小売店舗において、包装袋に入った小袋入商品が増加している。小袋入商品は、購入後、袋全体を大きく裂くようにして開封するため、使い残したり、食べ残した商品を袋に入れて保管しにくいという課題があった。
係る課題を解決するために、ジッパー付きの包装袋が存在するが、ジッパー付きの包装袋はジッパーを付けることによる袋のコストアップの問題がある。
【０００３】
そこで、特許文献１には、一枚の矩形状の包装材を製袋した包装袋を、突出片を境にして、本体部分と折り返し部分とに分け、折り返し部分の袋端部を切り取ることで開口を形成し、その後、突出片の根元を基点として折り返し部分を突出片と反対側に折り返して封止する包装袋が提案されている。
同様の構成は、特許文献２及び特許文献３にも開示されている。
【先行技術文献】
【特許文献】
【０００４】
【特許文献１】特許第６１２４１９４号公報
【特許文献２】特許第６０５７２４０号公報
【特許文献３】特許第６０３７６０２号公報
【発明の概要】
【発明が解決しようとする課題】
【０００５】
特許文献１〜３に記載の包装袋は、突出片の根元を基点として、包装袋を本体部分と折り返し部分とに分けるものである。このため、製袋時に、突出片を設ける位置を設計しなければならず、製袋の自由度が制限される。また、折り返し部分を折り返して再封した際の袋の容量が小さくなるといった課題がある。
本発明は、上記従来の包装袋が有していた課題を解決するためになされたものであり、袋のコストアップを招くことなく、製袋の自由度が高く、また、再封した際の袋の容量低下が少なく、簡易に再封することのできる包装袋を提供することを主たる目的とする。
【課題を解決するための手段】
【０００６】
本発明は、上記目的を達成するために、請求項１記載の発明は、主袋体と、前記主袋体と一体に繋がっており、前記主袋体から二股に分かれた少なくとも一対の副袋体とを有する包装袋において、前記副袋体のうちの少なくとも一つの副袋体の先端寄りに、破断して開封するための開口が設けられており、前記破断して開口を形成した副袋体の根元部を、前記主袋体側へ折り返すことにより、前記開口を簡易的に再封できることを特徴とする、包装袋である。
【０００７】
請求項２記載の発明は、前記副袋体は、前記主袋体の一端側に一対備えられ、かつ、前記主袋体の前記一端側と反対側の他端側にも一対備えられて、４つの副袋体を有していることを特徴とする、請求項１に記載の包装袋である。
請求項３記載の発明は、前記副袋体には、そのすべてに、先端寄りに破断して開封するための開口が設けられており、いずれか一つの副袋体の開口を破断して開封し、かつ、開口を簡易的に再封できる構成であることを特徴とする、請求項１または２に記載の包装袋である。
【０００８】
請求項４記載の発明は、シートが折り畳まれ、左右両側縁部が接合されて袋体にされた包装袋であって、一方主面板と、他方主面板と、一端辺同士が接続して谷折りされた一方マチ板及び他方マチ板とを含み、前記一方主面板の一端辺と前記他方主面板の一端辺とは、山折りして折り畳まれて接続しており、前記一方主面板の他端辺と前記一方マチ板の他端辺とは、山折りに折り畳まれて接続しており、前記他方主面板の他端辺と前記他方マチ板の他端辺とは、山折りに折り畳まれて接続しており、前記一方主面板及び前記他方主面板の相対向する左右両側縁部同士、前記一方主面板及び前記一方マチ板の相対向する左右両側縁部同士、並びに前記他方主面板及び前記他方マチ板の相対向する左右両側縁部同士は、それぞれ接合され、収容空間の繋がった主袋体、第１の副袋体及び第２の副袋体が形成されており、前記第１の副袋体及び第２の副袋体の少なくとも一方の先端寄りに、破断して前記収容空間を開封するための開口が設けられていることを特徴とする、包装袋である。
【０００９】
請求項５記載の発明は、シートが折り畳まれ、左右両側縁部が接合されて袋体にされた包装袋であって、一方主面板と、他方主面板と、一端辺同士が接続して谷折りされた第１マチ板及び第２マチ板と、一端辺同士が接続して谷折りされた第３マチ板及び第４マチ板とを含み、前記一方主面板の一端辺と前記第１マチ板の他端辺とは、山折りに折り畳まれて接続しており、前記他方主面板の一端辺と前記第２マチ板の他端辺とは、山折りに折り畳まれて接続しており、前記一方主面板の他端辺と前記第３マチ板の他端辺とは、山折りに折り畳まれて接続しており、前記他方主面板の他端辺と前記第４マチ板の他端辺とは、山折りに折り畳まれて接続しており、前記一方主面板及び前記他方主面板の相対向する左右両側縁部同士、前記一方主面板及び前記第１マチ板の相対向する左右両側縁部同士、前記他方主面板及び前記第２マチ板の相対向する左右両側縁部同士、前記一方主面板及び前記第３マチ板の相対向する左右両側縁部同士、並びに前記他方主面板及び前記第４マチ板の相対向する左右両側縁部同士は、それぞれ接合され、収容空間の繋がった主袋体、第１の副袋体、第２の副袋体、第３の副袋体及び第４の副袋体が形成されており、前記第１ないし第４の副袋体の少なくとも１つの先端寄りに、破断して前記収容空間を開封するための開口が設けられていることを特徴とする、包装袋である。
【００１０】
請求項６記載の発明は、破断により前記開口を形成後、前記開口を形成した副袋体の根元部を前記主袋体側へ折り返すことにより、前記開口を簡易的に再封することができることを特徴とする、請求項４または５に記載の包装袋である。
請求項７記載の発明は、前記シートは１枚のフィルムシートを含み、前記他方主面板には、前記１枚のフィルムシートの一端縁及び他端縁が合掌貼りされて左右方向へ延びる貼り合わせ部が存在することを特徴とする、請求項４〜６のいずれか一項に記載の包装袋である。
【００１１】
請求項８記載の発明は、前記開口は、前記他方主面板側の副袋体に設けられており、前記貼り合わせ部は、前記他方主面板側の副袋体の根元が隣接する前記他方主面板に形成されていることを特徴とする、請求項７に記載の包装袋である。
請求項９記載の発明は、前記シートは１枚のフィルムシートを含み、前記１枚のフィルムシートの一端縁及び他端縁が合掌貼りされて左右方向へ延びる貼り合わせ部が形成されて環状にされており、前記貼り合わせ部が、前記副袋体のいずれかの先端縁部に存在していることを特徴とする、請求項４〜６のいずれか一項に記載の包装袋である。
【００１２】
請求項１０記載の発明は、前記開口は、前記貼り合わせ部が先端縁部に存在している副袋体に設けられていることを特徴とする、請求項９に記載の包装袋である。
請求項１１記載の発明は、シートが折り畳まれ、左右両側部が接合されて袋体にされた包装袋であって、一方主面板と、他方主面板と、一端辺同士が接続して谷折りされた一方マチ板及び他方マチ板とを含み、前記一方主面板の一端辺と前記他方主面板の一端辺とは、山折りに折り畳まれて接続しており、前記他方主面板の他端辺と前記他方マチ板の他端辺とは、山折りに折り畳まれて接続しており、前記一方主面板の他端辺及び前記一方マチ板の他端辺は、前記他方主面板の他端辺及び前記他方マチ板の他端辺より先端方向へ伸び出して貼り合わされており、前記一方主面板及び前記他方主面板の相対向する左右両側縁部同士、前記一方主面板及び前記一方マチ板の相対向する左右両側縁部同士、並びに前記他方主面板及び前記他方マチ板の相対向する左右両側縁部同士は、それぞれ接合され、収容空間の繋がった主袋体、第１の副袋体及び第２の副袋体が形成されており、前記第１の副袋体の先端寄りに、破断して前記収容空間を開封するための開口が設けられていることを特徴とする、包装袋である。
【００１３】
請求項１２記載の発明は、破断により前記開口を形成後、前記開口を形成した前記第１の副袋体の根元部を前記主袋体側へ折り返すことにより、前記開口を簡易的に再封することができることを特徴とする、請求項１１に記載の包装袋である。
【発明の効果】
【００１４】
本発明は、谷折りされた一対のマチ板を用いて２つもしくは４つの副袋体を構成する。そして、少なくとも一つの副袋体の先端寄りに、破断して開封するための開口を設けた。このため、開口を形成して開封後、開封した副袋体の根元部を主袋体側へ折り返すことにより、極めて容易に、かつ、簡易に開口を再封することができる。
【図面の簡単な説明】
【００１５】
【図１】図１は、本発明の一実施形態に係る包装袋１を正面側から見た斜視図である。
【図２】図２は、包装袋１の正面図である。
【図３】図３は、包装袋１の平面図である。
【図４】図４は、包装袋１の底面図である。
【図５】図５は、包装袋１の右側面図である。
【図６】図６は、包装袋１の背面図である。
【図７】図７は、包装袋１が空の状態における縦断面構造を説明するための側面断面図である。
【図８】図８は、包装袋１の展開図である。
【図９】図９は、包装袋１の開封及び再封を説明するための図解的な側面断面図（Ａ）及び背面図（Ｂ）である。
【図１０】図１０は、包装袋１の開封及び再封を説明するための図解的な側面断面図（Ａ）及び背面図（Ｂ）である。
【図１１】図１１は、包装袋１の開封及び再封を説明するための図解的な側面断面図（Ａ）及び背面図（Ｂ）である。
【図１２】図１２は、本発明の他の実施形態に係る包装袋３０を説明するための図解的な図である。
【図１３】図１３は、本発明のさらに他の実施形態に係る包装袋４０を説明するための図解的な図である。
【図１４】図１４は、本発明のさらなる変形形態の一例を示す包装袋５０を説明するための図解的な図である。
【発明を実施するための形態】
【００１６】
以下では、本発明の実施形態について、図面を参照して詳細に説明をする。
図１は、本発明の一実施形態に係る包装袋１を正面側から見た斜視図であり、図２〜図６は、それぞれ、包装袋１の正面図、平面図、底面図、右側面図及び背面図である。図１〜図６では、商品が収容された状態に包装袋１が膨らんだ図とされている。また、図７は、包装袋１が空の状態における縦断面構造を説明するための側面断面図である。さらに、図８は、包装袋１の展開図である。
【００１７】
図１〜図８を参照して、本発明の一実施形態に係る包装袋１は、一例として、１枚の積層フィルムシート１０により形成されている。
包装袋１を形成する１枚の積層フィルムシート１０は、包装袋１の構成パーツに分解すると、一方主面板１１、他方主面板１２、一方マチ板１３、及び他方マチ板１４を含んでいる。本実施形態では、他方主面板１２には、１枚の積層フィルムシート１０の一端縁１５及び他端縁１６が合掌貼りによって接合され、包装袋１の左右方向へ延びる貼り合わせ部１７が存在している。
【００１８】
そして、これによって、１枚の積層フィルムシート１０は環状にされている。
当該貼り合わせ部１７は、他方主面板１２の外表面において、上方へ折り畳まれており、実質上、他方主面板１２と一体になって、包装袋１の裏面を構成している。なお、貼り合わせ部１７は、他方主面板１２の外表面において、上方ではなく、下方に折り畳まれていてもよい。
【００１９】
一方主面板１１の一端辺（上辺）１１１及び他方主面板１２の一端辺（上辺）１２１は、接続しており、山折りに折り畳まれている。
一方主面板１１の他端辺（下辺）１１２及び一方マチ板１３の他端辺（下辺）１３２は、接続しており、山折りに折り畳まれている。
他方主面板１２の他端辺（下辺）１２２及び他方マチ板１４の他端辺（下辺）１４２は、接続しており、山折りに折り畳まれている。
【００２０】
また、一方マチ板１３の一端辺１３１及び他方マチ板１４の一端辺１４１は、接続しており、谷折りに折り畳まれている。
本実施形態に係る包装袋１は、上述のように１枚の積層フィルムシート１０の一端縁１５及び他端縁１６が合掌貼りによって接合されて側面視が円環状になった積層フィルムシート１０が折り畳まれ、一方主面板１１、他方主面板１２、一方マチ板１３、及び他方マチ板１４が形成された後、積層フィルムシート１０の左右両側縁部が接合されて袋体とされている。
【００２１】
より具体的には、一方主面板１１の左側縁部１１３及び他方主面板１２の左側縁部１２３は、相対向する側縁部同士が、一例として、加熱・加圧によって接合されて左接合帯３１となっている。また、一方主面板１１の右側縁部１１４及び他方主面板１２の右側縁部１２４は、相対向する側縁部同士が、一例として、加熱・加圧によって接合されて右接合帯３２となっている。そして、左右側縁部が接合された一方主面板１１及び他方主面板１２によって、包装袋１の上方側には、収容空間としての主袋体２が形成されている。
【００２２】
さらに、一方主面板１１の左側縁部１１３及び一方マチ板１３の左側縁部１３３は、相対向する側縁部同士が、一例として、加熱・加圧によって接合されて左下接合帯３３となっている。同様に、一方主面板１１の右側縁部１１４及び一方マチ板１３の右側縁部１３４は、相対向する側縁部同士が、一例として、加熱・加圧によって接合されて右下接合帯３４となっている。そして、左右側縁部が接合された一方主面板１１及び一方マチ板１３によって、包装袋１の下方一方面側には、収容空間としての第１の副袋体３が形成されている。
【００２３】
また、他方主面板１２の左側縁部１２３及び他方マチ板１４の左側縁部１４３は、相対向する側縁部同士が、一例として、加熱・加圧によって接合されて左下接合帯３５となっている。同様に、他方主面板１２の右側縁部１２４及び他方マチ板１４の右側縁部１４４は、相対向する側縁部同士が、一例として、加熱・加圧によって接合されて右下接合帯３６となっている。そして、左右側縁部が接合された他方主面板１２及び他方マチ板１４によって、包装袋１の下方他方面側には、収容空間としての第２の副袋体４が形成されている。
【００２４】
ここに、主袋体２、第１の副袋体３及び第２の副袋体４は収容空間として繋がっており、包装袋１の収容空間を形成している。
本実施形態の包装袋１は、前述した通り、１枚の積層フィルムシート１０により形成される。積層フィルムシート１０は、一例として、ポリエチレン系またはポリプロピレン系の基材フィルムの一方面（内面）側にシーラント層が積層されたフィルムを用いることができる。積層フィルムシート１０の内面側にシーラント層が積層されていれば、前述した左右両側縁部同士の接合や、端縁部同士の接合を、加熱・加圧によって実現でき、製造効率が向上する。
【００２５】
なお、本発明の包装袋を形成するシートは、一方面（内面）側にシーラント層が積層されていないシートも利用できる。一例として、紙を主体とするシートを用いることもできる。係る場合は、接合する部位に、接着剤を塗布してもよい。
図６を主として参照して、包装袋１には、開封ガイド５が設けられている。開封ガイド５は、一例として、第２の副袋体４の先端寄りの接合帯３５に形成された三角形状の切欠き５１を含む。この切欠き５１に代えて、接合帯３６にわずかに切り込まれた切れ目５２としてもよい。図６では、説明の便宜上、接合帯３５には、切欠き５１を、接合帯３６には、切れ目５２を設けているが、実際の包装袋１としては、いずれかに統一する方が好ましい。
【００２６】
また、開封ガイド５は、第２の副袋体４の先端寄りの破断部分を示す破断線５３を含んでいてもよい。
破断線５３は、短い直線や小さな穴を連続的に貫通させるのではなく、包装袋の内部が外気に触れないよう、積層されたフィルムの表面のみに短い直線や小さな穴を連続的に設置する（いわゆるハーフカット構造を設ける）のが好ましい。なお、切欠き５１は三角形状ではなく、将棋の駒のような五角形状であってもよく、また、包装袋１の左右の端部全体にギザギザ形状となるよう、三角形状の切欠き５１を連続して設けてもよい。更には、包装袋１の製造機械の仕様によって、切欠き５１、切れ目５２、破断線５３などの開封ガイド５は、複数の副袋体のいずれか１つのみではなく、全ての副袋体に設けてもよい。ただし、複数の副袋体にて包装袋１を開封してしまうと再封機能を有さなくなってしまうため、製品に用いる際には、開封部分は１ヶ所のみであることを明示することが望ましい。
【００２７】
包装袋１は、第２の副袋体４の先端寄りに設けられた開封ガイド５に沿って、第２の副袋体４の先端寄りを破断することにより開封することができる。そして、第２の副袋体４の先端寄りに開口６が形成される。開口６を通して、包装袋１に収容された商品を取り出すことができる。
本実施形態に係る包装袋１が収容する商品は、一例として、個包装した飴、個包装したキャンディ、個包装したチョコレート菓子等の粒状又は小塊状食品が想定される。粒状又は小塊状食品は、個包装せずに収容されてもよい。
【００２８】
また、包装袋１が収容する商品は食品に限らず、例えば小さなカプセルや、螺子や釘、画鋲、ボルトなどの工作用・建築用部品、コインやメダルなどの遊具・玩具などが収容されてもよい。要するに、簡易的な再封機能を発揮させることが困難な粉状や液状のものでなければ、何でも収容することができる。
本実施形態に係る包装袋１は、左接合帯３１及び左下接合帯３３，３５の幅を、右接合帯３２及び右下接合帯３４，３６の幅よりも広くしているが、その理由は、小売店等で陳列する際に、包装袋１をフック掛けするための小孔９を形成するためである。左接合帯３１に、包装袋１をフック掛けして陳列しない場合、小孔９はなくてもよいし、左接合帯３１の幅と右接合帯３２の幅とが等しい形状であってもよい。
【００２９】
なお、図１〜図６においては、包装袋１の形態について意匠登録出願を行う場合に、貼り合わせ部１７及び小孔９は、必須の構成要素ではなく、これらについては、部分意匠から除外するために、破線で描いている。
包装袋１は、次に説明するように、開口６を形成した後、当該開口６を簡易的に再封することができる。以下、再封構造について詳しく説明する。
【００３０】
図９、図１０及び図１１は、それぞれ、包装袋１の開封及び再封を説明するための図解的な側面断面図（Ａ）及び背面図（Ｂ）を示す。
まず、図９（Ａ）（Ｂ）に示すように、包装袋１に設けられた第２の副袋体４の先端寄りを、そこに示された開封ガイド５に沿って破断する。本実施形態の包装袋１には、切欠き５１又は切れ目５２が形成されているので、その切欠き５１又は切れ目５２から、手指でもって、第２の副袋体４の先端寄りをむしり取るように破断することができる。
【００３１】
ハサミなどの切断具を用いて、第２の副袋体４の先端寄りを破断してもかまわない。
第２の副袋体４の先端寄りが破断して開封されると、第２の副袋体４の先端に開口６が形成される。この開口６を通じて、包装袋１内に収容された商品を取り出すことができる。
商品を必要数取り出した後、開口６を簡易的に再封するときは、図１０（Ａ）（Ｂ）に示すように、第２の副袋体４を拉ぐ。すなわち、第２の副袋体４を構成する他方主面板１２の下方部１２Ｂと他方マチ板１４とを当接させる。他方主面板の下方部１２Ｂと他方マチ板１４とは、左右両端部が左下接合帯３５及び右下接合帯３６となっているから、他方主面板１２の下方部１２Ｂと他方マチ板１４とは容易に拉げて当接する。その後、拉げた第２の副袋体４の根元部８、すなわち他方主面板１２の下方部１２Ｂ及び他方マチ板１４の左右方向に延びる根元部８を折るように、拉げた第２の副袋体４を上方へ折り返し、他方主面板１２の上方部１２Ａの表面に添わせる。これによって、開口６の簡易再封が完了する（図１１（Ａ）（Ｂ）を参照）。
【００３２】
なお、簡易再封に際し、第２の副袋体４を上方へ折り返す角度については、簡易再封機能が発揮される角度、すなわち包装袋１が収容する商品が容易にこぼれ落ちない程度に折り返されていれば、どのような角度でも構わない。目安としては、第２の副袋体４が、他方主面板１２の上方部１２Ａに対してほぼ垂直な状態（約９０度折り返した状態）から、上方部１２Ａの表面に沿った状態（約１８０度折り返した状態、図１１（Ａ）（Ｂ）を参照）の範囲に入る角度であれば良い。なお、折り返す角度が大きければ大きいほど、簡易再封機能は高くなる。また、以下に説明する実施形態についても、同様のことが言える。
【００３３】
図１２は、本発明の他の実施形態に係る包装袋３０を説明するための図解的な図であり、（Ａ）は包装袋３０を正面側から見た斜視図、（Ｂ）は包装袋３０の図解的な縦断面図、（Ｃ）は開封後の再封状態を示す包装袋３０の図解的な縦断面図である。
図１２（Ａ）（Ｂ）（Ｃ）に示す包装袋３０の特徴は、一方主面板１１の一端辺（上辺）１１１と他方主面板１２の一端辺（上辺）１２１とが接続しておらず、一方主面板１１の上端部と他方主面板１２の上端部同士が貼り合わされて接合帯３７が形成されていることである。接合帯３７には、包装袋３０をフック掛けするための小孔９が形成されていてもよい。
【００３４】
包装袋３０でも、第２の副袋体４の先端寄りに開封ガイド５を設けた構成としているが、開封ガイド５は、第２の副袋体４ではなく、第１の副袋体３の先端寄りに設けた構成としてもよい。
包装袋３０のその余の構成であって、包装袋１の構成と同一又は対応する箇所には、同一の符号を付して、重複した説明は省略する。
【００３５】
図１３は、本発明のさらに他の実施形態に係る包装袋４０を説明するための図解的な図であり、（Ａ）は包装袋４０を正面側から見た斜視図、（Ｂ）は包装袋４０の図解的な縦断面図、（Ｃ）は開封後の再封状態を示す包装袋４０の図解的な縦断面図である。
図１３（Ａ）（Ｂ）（Ｃ）に示す包装袋４０の特徴は、一方主面板１１の一端辺（上辺）１１１と一方マチ板１３の他端辺（上辺）１３２とが接続しておらず、一方主面板１１の上端部と一方マチ板１３の上端部同士が貼り合わされて接合帯３７が形成されていることである。つまり、第１の副袋体３を形成する一方主面板１１及び一方マチ板１３は、その上下方向長さが他方主面板１２及び他方マチ板１４の上下方向長さよりも長くされている。そして、一方主面板１１の上端部及び一方マチ板１３の上端部は、第２の副袋体４の上端よりも上方へ延び出ていて、接合帯３７が形成されている。
【００３６】
接合帯３７には、包装袋４０をフック掛けするための小孔９が形成されていてもよい。
包装袋４０では、開封ガイド５は、第１の副袋体３の先端寄り、すなわち接合帯３７の下端沿いに作られている。
包装袋４０のその余の構成で、包装袋１の構成と同一又は対応する箇所には、同一の符号を付して、重複した説明は省略する。
【００３７】
図１４は、本発明のさらなる変形形態の一例を示す包装袋５０を説明するための図解的な図であり、（Ａ）は包装袋５０を正面側から見た斜視図、（Ｂ）は包装袋５０の図解的な縦断面図、（Ｃ）は開封後の再封状態を示す包装袋５０の図解的な縦断面図である。
図１４（Ａ）（Ｂ）（Ｃ）に示す包装袋５０の特徴は、副袋体が、包装袋５０の上下にそれぞれ２つずつ、合計４つ設けられていることである。すなわち、主袋体２に連通するように、下方に第１の副袋体３及び第２の副袋体４が形成され、主袋体２に連通するように、上方に第３の副袋体３′及び第４の副袋体４′が形成されている。そして、包装袋５０を形成する１枚の積層フィルムシートの両端縁１５、１６は、接合帯３７として接合されて、１枚の積層フィルムシートは環状になっている。
【００３８】
図１４に示す変形形態に係る包装袋５０では、接合帯３７が、第１の副袋体３の先端に位置しており、かつ、第１の副袋体３の先端寄りに開封ガイド５が設けられた構成を例示している。しかし、接合帯３７は、包装袋５０における任意の位置に位置させることが可能である。つまり、接合帯３７は、最初に説明した実施形態のように、他方主面板１２の途中部に位置していてもよいし、第１の副袋体３以外の副袋体の先端に位置してもよい。
【００３９】
また、変形形態に係る包装袋５０において、開封ガイド５は、４つの副袋体３、４、３′、４′のどの副袋体に設けてもよく、製造機械の仕様によっては全ての副袋体に設けてもよいが、製品に用いる際には、開封部分は１ヶ所のみであることを明示することが望ましい。
包装袋５０のその余の構成で、包装袋１の構成と同一又は対応する箇所には、同一の符号を付して、重複した説明は省略する。
【００４０】
本発明は、以上説明した実施形態に限定されるものではなく、請求項記載の範囲内において種々の変更が可能である。
例えば包装袋は、図１〜図１１に示すように包装袋の下方に副袋体を設けたものではなく、包装袋の上方に副袋体を設けたものであってもよい。また、図１４を参照して説明したように、包装袋は副袋体を２つ設けた形態ではなく、包装袋の上下に２つずつ、合計４つ設置してもよい。
【符号の説明】
【００４１】
１、３０、４０、５０    包装袋
２    主袋体
３    第１の副袋体
４    第２の副袋体
３′    第３の副袋体
４′    第４の副袋体
５    開封ガイド
５１    切欠き
５２    切れ目
５３    破断線
６    開口
８    根元部
９    小孔
１０    積層フィルムシート
１１    一方主面板
１２    他方主面板
１２Ａ    上方部
１２Ｂ    下方部
１３    一方マチ板
１４    他方マチ板
１１１、１２１、１３１、１４１    一端辺
１１２、１２２、１３２、１４２    他端辺
１１３、１２３、１３３、１４３    左側縁部
１１４、１２４、１３４、１４４    右側縁部
１５    一端縁
１６    他端縁
１７    貼り合わせ部
３１、３２、３３、３４、３５、３６、３７    接合帯
【図１】
2020066455.tif 000003
【図２】
2020066455.tif 000004
【図３】
2020066455.tif 000005
【図４】
2020066455.tif 000006
【図５】
2020066455.tif 000007
【図６】
2020066455.tif 000008
【図７】
2020066455.tif 000009
【図８】
2020066455.tif 000010
【図９】
2020066455.tif 000011
【図１０】
2020066455.tif 000012
【図１１】
2020066455.tif 000013
【図１２】
2020066455.tif 000014
【図１３】
2020066455.tif 000015
【図１４】
2020066455.tif 000016